(57)【要約】【課題】表示領域における各副画素とプリズムシートとに起因したモアレを抑制する。【解決手段】一実施形態の表示装置は、表示パネルと、光源と、この光源と対向する端部を有する導光板と、プリズムシートとを備える。上記表示パネルは、第１色を表示する第１副画素及び第１色とは異なる第２色を表示する第２副画素を含む複数種類の副画素によって構成された単位画素が第１方向及び第２方向に沿って配列された表示領域を有する。この表示領域においては、上記第１副画素の上記第１方向及び上記第２方向の少なくとも一方の幅が上記第２副画素とは異なるか、或いは、上記単位画素に含まれる上記第１副画素の個数が上記第２副画素の個数とは異なる。上記プリズムシートは、上記導光板と上記表示パネルとの間に介在し、鋭角である傾斜角度で上記第２方向から傾いた第３方向に沿って延びる複数のプリズムを有する。【選択図】    図１２
2015227911.tif 000002
【特許請求の範囲】
【請求項１】
第１色を表示する第１副画素及び前記第１色とは異なる第２色を表示する第２副画素を含む複数種類の副画素によって構成された単位画素が第１方向及びこの第１方向と交わる第２方向に沿って配列された表示領域を有し、前記第１副画素の前記第１方向及び前記第２方向の少なくとも一方の幅が前記第２副画素とは異なる、或いは、前記単位画素に含まれる前記第１副画素の個数が前記第２副画素の個数とは異なる、表示パネルと、
光源と、
前記光源と対向する端部を有する導光板と、
前記導光板と前記表示パネルとの間に介在し、鋭角である傾斜角度で前記第２方向から傾いた第３方向に沿って延びる複数のプリズムを有するプリズムシートと、
を備える表示装置。
【請求項２】
前記副画素の前記表示領域における輝度分布が最も均一化される状態において前記プリズムが延びる方向と前記第２方向とのなす角度を理想角度としたとき、前記複数種類の副画素のうちで最も輝度が高い前記第１副画素に固有の第１理想角度と、前記複数種類の副画素のうちで２番目に輝度が高い前記第２副画素に固有の第２理想角度とが異なり、
前記傾斜角度は、前記第１理想角度と、前記第２理想角度との間で定められる、
請求項１に記載の表示装置。
【請求項３】
前記傾斜角度は、前記第１理想角度と、前記第２理想角度との平均値である、
請求項２に記載の表示装置。
【請求項４】
前記平均値は、前記第１副画素の輝度と、前記第２副画素の輝度とに応じた加重平均である、
請求項３に記載の表示装置。
【請求項５】
前記副画素の前記表示領域における輝度分布が最も均一化される状態において、前記プリズムが延びる方向と前記第２方向とのなす角度を理想角度としたとき、
前記傾斜角度は、少なくとも２種類の前記副画素それぞれに固有の前記理想角度の平均値である、
請求項１に記載の表示装置。
【請求項６】
第１色を表示する第１副画素及び前記第１色とは異なる第２色を表示する第２副画素を含む複数種類の副画素によって構成された単位画素が第１方向及びこの第１方向と交わる第２方向に沿って配列された表示領域を有し、前記第１副画素の前記第１方向及び前記第２方向の少なくとも一方の幅が前記第２副画素とは異なる、或いは、前記単位画素に含まれる前記第１副画素の個数が前記第２副画素の個数とは異なる、表示パネルと、
光源と、
前記光源と対向する端部を有する導光板と、
前記導光板と前記表示パネルとの間に介在し、直線状に延びる複数のプリズムが一定のプリズムピッチで配列されたプリズムシートと、
を備え、
前記副画素の前記表示領域における輝度分布が最も均一化される状態の前記プリズムピッチを理想ピッチとしたとき、各種類の前記副画素ごとに固有の前記理想ピッチがあり、
前記プリズムピッチは、少なくとも２種類の前記副画素についての前記理想ピッチの平均値である、
表示装置。
【請求項７】
前記プリズムピッチは、前記複数種類の副画素のうちで輝度が最も高い前記第１副画素に固有の第１理想ピッチと、前記複数種類の副画素のうちで輝度が２番目に高い前記第２副画素に固有の第２理想ピッチとの平均値である、
請求項６に記載の表示装置。
【請求項８】
前記平均値は、前記第１副画素の輝度と、前記第２副画素の輝度とに応じた加重平均である、
請求項７に記載の表示装置。
【請求項９】
第１色を表示する第１副画素及び前記第１色とは異なる第２色を表示する第２副画素を含む複数種類の副画素によって構成された単位画素が第１方向及びこの第１方向と交わる第２方向に沿って配列された表示領域を有し、前記第１副画素の前記第１方向及び前記第２方向の少なくとも一方の幅が前記第２副画素とは異なる、或いは、前記単位画素に含まれる前記第１副画素の個数が前記第２副画素の個数とは異なる、表示パネルと、
光源と、
前記光源と対向する端部を有する導光板と、
前記導光板と前記表示パネルとの間に介在し、第３方向に沿って延びる複数のプリズムを有するプリズムシートと、
を備える表示装置において、前記プリズムと前記表示領域との干渉によるモアレを抑制する方法であって、
前記第１副画素について、前記表示領域における輝度分布が最も均一化される、前記プリズムが延びる方向と前記第２方向とが成す第１理想角度を決定し、
前記第２副画素について、前記表示領域における輝度分布が最も均一化される、前記プリズムが延びる方向と前記第２方向とが成す第２理想角度を決定し、
前記第１理想角度と前記第２理想角度との間の角度で前記第３方向を前記第２方向から傾かせる、
方法。
【請求項１０】
第１色を表示する第１副画素及び前記第１色とは異なる第２色を表示する第２副画素を含む複数種類の副画素によって構成された単位画素が第１方向及びこの第１方向と交わる第２方向に沿って配列された表示領域を有し、前記第１副画素の前記第１方向及び前記第２方向の少なくとも一方の幅が前記第２副画素とは異なる、或いは、前記単位画素に含まれる前記第１副画素の個数が前記第２副画素の個数とは異なる、表示パネルと、
光源と、
前記光源と対向する端部を有する導光板と、
前記導光板と前記表示パネルとの間に介在し、直線状に延びる複数のプリズムを有するプリズムシートと、
を備える表示装置において、前記プリズムと前記表示領域との干渉によるモアレを抑制する方法であって、
前記第１副画素について、前記表示領域における輝度分布が最も均一化される前記プリズムの第１理想ピッチを決定し、
前記第２副画素について、前記表示領域における輝度分布が最も均一化される前記プリズムの第２理想ピッチを決定し、
前記第１理想ピッチと前記第２理想ピッチとの間のピッチで前記プリズムシートに前記プリズムを配列する、
方法。
【発明の詳細な説明】
【技術分野】
【０００１】
本発明の実施形態は、表示装置及びモアレを抑制する方法に関する。
【背景技術】
【０００２】
例えば液晶表示装置などの表示装置は、それぞれ異なる色に対応する複数種類の副画素を含む単位画素がマトリクス状に配列された表示領域を有する表示パネルと、この表示パネルと光源との間に配置されるプリズムシートとを備える。
プリズムシートは、例えば、所定ピッチで平行に配列された直線状のプリズムを有する。光源からの光がプリズムシートを通過すると、各プリズムの作用によりこの光が所定範囲に集光されて、各プリズムに対応した陰影が生じる。この陰影と、表示領域における各副画素との干渉により、液晶表示装置の画面にいわゆるモアレが発生することがある。
【先行技術文献】
【特許文献】
【０００３】
【特許文献１】特開２００６−２６７５４７号公報
【特許文献２】特開２００７−２６４３９３号公報
【発明の概要】
【発明が解決しようとする課題】
【０００４】
本発明の一態様における目的は、表示領域における各副画素とプリズムシートとに起因したモアレを抑制することである。
【課題を解決するための手段】
【０００５】
一実施形態に係る表示装置は、表示パネルと、光源と、導光板と、プリズムシートとを備える。上記表示パネルは、第１色を表示する第１副画素及び上記第１色とは異なる第２色を表示する第２副画素を含む複数種類の副画素によって構成された単位画素が第１方向及びこの第１方向と交わる第２方向に沿って配列された表示領域を有する。この表示領域においては、上記第１副画素の上記第１方向及び上記第２方向の少なくとも一方の幅が上記第２副画素とは異なるか、或いは、上記単位画素に含まれる上記第１副画素の個数が上記第２副画素の個数とは異なる。上記導光板は、上記光源と対向する端部を有する。上記プリズムシートは、上記導光板と上記表示パネルとの間に介在し、鋭角である傾斜角度で上記第２方向から傾いた第３方向に沿って延びる複数のプリズムを有する。
【０００６】
他の実施形態に係る表示装置は、表示パネルと、光源と、導光板と、プリズムシートとを備える。上記表示パネルは、第１色を表示する第１副画素及び上記第１色とは異なる第２色を表示する第２副画素を含む複数種類の副画素によって構成された単位画素が第１方向及びこの第１方向と交わる第２方向に沿って配列された表示領域を有する。この表示領域においては、上記第１副画素の上記第１方向及び上記第２方向の少なくとも一方の幅が上記第２副画素とは異なるか、或いは、上記単位画素に含まれる上記第１副画素の個数が上記第２副画素の個数とは異なる。上記導光板は、上記光源と対向する端部を有する。上記プリズムシートは、上記導光板と上記表示パネルとの間に介在し、直線状に延びる複数のプリズムが一定のプリズムピッチで配列されている。上記副画素の上記表示領域における輝度分布が最も均一化される状態の上記プリズムピッチを理想ピッチとしたとき、各種類の上記副画素ごとに固有の上記理想ピッチがあり、上記プリズムピッチは、少なくとも２種類の上記副画素についての上記理想ピッチの平均値である。
【図面の簡単な説明】
【０００７】
【図１】図１は、液晶表示装置の一構成例を模式的に示す断面図である。
【図２】図２は、液晶表示パネルの一構成例を模式的に示す断面図である。
【図３】図３は、第１構成例に係る単位画素を模式的に示す図である。
【図４】図４は、第１構成例に係る単位画素が配列された表示領域の一例を模式的に示す図である。
【図５】図５は、第２構成例に係る単位画素を模式的に示す図である。
【図６】図６は、第２構成例に係る単位画素が配列された表示領域の一例を模式的に示す図である。
【図７】図７は、第３構成例に係る単位画素を模式的に示す図である。
【図８】図８は、第３構成例に係る単位画素が配列された表示領域の一例を模式的に示す図である。
【図９】図９は、第４構成例に係る単位画素を模式的に示す図である。
【図１０】図１０は、第４構成例に係る単位画素が配列された表示領域の一例を模式的に示す図である。
【図１１】図１１は、プリズムシートと表示領域との干渉により生じるモアレの一例を説明するための図である。
【図１２】図１２は、第１実施形態において、プリズムが配列された第１プリズムシートと単位画素が配列された表示領域とを模式的に示す図である。
【図１３】図１３は、第１実施形態において、プリズムの傾斜角度を決定する手順の一例を説明するための図である。
【図１４】図１４は、第２実施形態において、プリズムが配列された第１プリズムシートと単位画素が配列された表示領域とを模式的に示す図である。
【図１５】図１５は、第２実施形態において、プリズムピッチを決定する手順の一例を説明するための図である。
【図１６】図１６は、第２実施形態において、プリズムが配列された第２プリズムシートと単位画素が配列された表示領域とを模式的に示す図である。
【発明を実施するための形態】
【０００８】
いくつかの実施形態につき、図面を参照しながら説明する。  
なお、開示はあくまで一例にすぎず、発明の主旨を保っての適宜変更であって容易に想到し得るものについては、当然に本発明の範囲に含有される。また、図面は説明をより明確にするため、実際の態様に比べ、各部の幅、厚さ、形状等について模式的に表す場合があるが、あくまで一例であって、本発明の解釈を限定するものではない。また、本明細書と各図において、同一又は類似の構成要素には同一の符号を付し、詳細な説明を省略することがある。
【０００９】
本実施形態においては、表示装置の一例として液晶表示装置を開示する。この液晶表示装置は、例えば、スマートフォン、タブレット端末、携帯電話端末、ノートブックタイプのパーソナルコンピュータ、ゲーム機器等の種々の装置に用いることができる。
図１は、液晶表示装置１の一構成例を模式的に示す断面図である。液晶表示装置１は、バックライトＢＬと、このバックライトＢＬに重ねて配置された液晶表示パネルＬＰＮとを備える。
【００１０】
バックライトＢＬは、光源１０と、導光板１１とを備える。さらに、バックライトＢＬは、導光板１１の第１主面１１Ａ側に配置された反射板１２と、導光板１１の第２主面１１Ｂ側に配置された拡散シート１３と、第１プリズムシート１４及び第２プリズムシート１５とを備える。導光板１１、拡散シート１３、第１プリズムシート１４及び第２プリズムシート１５は、例えば寸法が略同一の矩形形状を有し、この順で互いに密着して重ねられている。第２プリズムシート１５は、液晶表示パネルＬＰＮと向い合う。
【００１１】
光源１０は、例えば導光板１１の一端部に多数の点状光源を直線状に配列して構成される。点状光源としては、例えばＬＥＤ（Light Emitting Diode）或いは有機ＥＬ（Organic ElectroLuminescence）等を利用できる。光源１０は、冷陰極蛍光管或いは熱陰極蛍光管等を用いた線状光源であってもよい。
【００１２】
導光板１１は、光源１０からの光を取り込んで、拡散シート１３に向けて均一な光を第２主面１１Ｂから放射する。反射板１２は、導光板１１の第１主面１１Ａから出射する光を反射して導光板１１に戻す。
拡散シート１３は、第１プリズムシート１４に入射する光の輝度が略均一となるように、導光板１１の第２主面１１Ｂからの光を拡散する。拡散シート１３としては、例えば光を拡散する凹凸構造を表面に備える拡散シート、或いは母材とは屈折率が異なる微粒子等を含有する拡散シートなどを用いることができる。
【００１３】
第１プリズムシート１４は、第２プリズムシート１５と向い合う側の面に、例えば一様な断面形状で直線状に延びる多数のプリズム１４ａを有する。第２プリズムシート１５は、液晶表示パネルＬＰＮと向い合う側の面に、例えば一様な断面で直線状に延びる多数のプリズム１５ａを有する。プリズム１４ａ，１５ａの断面形状は、例えば頂角が略９０度の三角形である。各プリズム１４ａ，１５ａは、拡散シート１３にて拡散された光の広がり角度を所定の角度範囲に集中させる。第１プリズムシート１４及び第２プリズムシート１５は、例えばプリズム１４ａ，１５ａそれぞれの延出方向（稜線が延びる方向）が直交するように配置されている。
【００１４】
図２は、液晶表示パネルＬＰＮの一構成例を模式的に示す断面図である。液晶表示パネルＬＰＮは、画像を表示する表示領域ＤＡを有する。カラー表示を実現するための単位画素ＰＸは、それぞれ異なる色に対応する複数種類の副画素を含む。単位画素ＰＸとは、表示領域ＤＡに表示されるカラー画像を構成する最小単位である。図２の例においては、赤、緑、青、白にそれぞれ対応する副画素ＰＸＲ，ＰＸＧ，ＰＸＢ，ＰＸＷが第１方向Ｘに並んだ単位画素ＰＸの構造を示している。
【００１５】
液晶表示パネルＬＰＮは、アレイ基板ＡＲと、アレイ基板ＡＲに対向して配置された対向基板ＣＴと、これらアレイ基板ＡＲと対向基板ＣＴとの間に保持された液晶層ＬＱとを備える。
アレイ基板ＡＲは、光透過性を有するガラス基板或いは樹脂基板などの第１絶縁基板２０と、第１絶縁基板２０の内面（対向基板ＣＴ側の面）を覆う第１絶縁層２１と、第１絶縁層２１の上に配置された共通電極ＣＥと、共通電極ＣＥを覆う第２絶縁層２２とを備える。
【００１６】
さらに、アレイ基板ＡＲは、副画素ＰＸＲ，ＰＸＧ，ＰＸＢ，ＰＸＷにそれぞれ対応する画素電極ＰＥＲ，ＰＥＧ，ＰＥＢ，ＰＥＷと、これら画素電極ＰＥＲ，ＰＥＧ，ＰＥＢ，ＰＥＷ及び第２絶縁層２２を覆い液晶層ＬＱと接する第１配向膜ＡＬ１とを備える。共通電極ＣＥと画素電極ＰＥＲ，ＰＥＧ，ＰＥＢ，ＰＥＷは、第２絶縁層２２を介して向かい合う。図２の例において、画素電極ＰＥＲ，ＰＥＧ，ＰＥＢ，ＰＥＷは、複数のスリットＰＳＬを有している。
【００１７】
共通電極ＣＥ及び画素電極ＰＥＲ，ＰＥＧ，ＰＥＢ，ＰＥＷは、例えばインジウム・ティン・オキサイド（ＩＴＯ）やインジウム・ジンク・オキサイド（ＩＺＯ）などの透明な導電材料で形成されている。
一方、対向基板ＣＴは、光透過性を有するガラス基板或いは樹脂基板などの第２絶縁基板３０と、第２絶縁基板３０の内面（アレイ基板ＡＲ側の面）に設けられたカラーフィルタＣＦＲ，ＣＦＧ，ＣＦＢ，ＣＦＷ及びブラックマトリクス３１とを備える。
【００１８】
カラーフィルタＣＦＲは、例えば赤色に着色された樹脂材料によって形成され、赤色の副画素ＰＸＲに配置されている。カラーフィルタＣＦＧは、例えば緑色に着色された樹脂材料によって形成され、緑色の副画素ＰＸＧに配置されている。カラーフィルタＣＦＢは、例えば青色に着色された樹脂材料によって形成され、青色の副画素ＰＸＢに配置されている。カラーフィルタＣＦＷは、例えば白色に着色された樹脂材料によって形成され、白色の副画素ＰＸＷに配置されている。なお、カラーフィルタＣＦＷは透明な樹脂材料によって形成されていてもよいし、白色の副画素ＰＸＷにカラーフィルタＣＦＷを設けなくてもよい。
【００１９】
ブラックマトリクス３１は、副画素ＰＸＲ，ＰＸＧ，ＰＸＢ，ＰＸＷを区画する。カラーフィルタＣＦＲ，ＣＦＧ，ＣＦＢ，ＣＦＷの境界は、ブラックマトリクス３１上に位置している。
対向基板ＣＴは、さらに、カラーフィルタＣＦＲ，ＣＦＧ，ＣＦＢ，ＣＦＷ及びブラックマトリクス３１を覆うオーバーコート層３３と、オーバーコート層３３を覆い液晶層ＬＱと接する第２配向膜ＡＬ２とを備える。オーバーコート層３３は、例えば透明な樹脂材料によって形成されている。
【００２０】
第１絶縁基板２０の外面（バックライトＢＬ側の面）には、第１偏光板ＰＬ１を含む第１光学素子ＯＤ１が配置されている。また、対向基板ＣＴの外面（アレイ基板ＡＲと反対側の面）には、第２偏光板ＰＬ２を含む第２光学素子ＯＤ２が配置されている。第１偏光板ＰＬ１の第１偏光軸（あるいは第１吸収軸）と第２偏光板ＰＬ２の第２偏光軸（あるいは第２吸収軸）とは、例えば互いに直交するクロスニコルの位置関係にある。
【００２１】
なお、図２に示す構造は、一例として、液晶分子のスイッチングにいわゆる横電界（フリンジ電界を含む）を利用するモードの液晶表示パネルＬＰＮに適用可能である。但し、液晶表示パネルＬＰＮのモードは、横電界を利用するモードに限られず、ＴＮ（Twisted Nematic）モードやＶＡ（Vertical Aligned）モードのように液晶分子のスイッチングにいわゆる縦電界を利用するモードであってもよい。
【００２２】
本実施形態において、各種類の副画素の少なくとも一部は、それらの形状が異なるか、或いは単位画素ＰＸに含まれる数が異なる。ここで、副画素の形状が異なるとは、例えば、副画素の第１方向Ｘ及び第１方向Ｘと垂直に交わる第２方向Ｙの少なくとも一方における幅が異なることを指す。このような単位画素ＰＸ及び表示領域ＤＡの構成例につき、図３乃至図１０を用いて説明する。  
【００２３】
各構成例において、単位画素ＰＸは、赤、緑、青、白の副画素ＰＸＲ，ＰＸＧ，ＰＸＢ，ＰＸＷにより構成される。但し、単位画素ＰＸは、これらの副画素のうちのいずれかを含まなくてもよいし、これらの副画素に代えて、或いはこれらの副画素とともに、例えば黄色などの他の色の副画素を含んでもよい。
また、各構成例においては、副画素ＰＸＲ，ＰＸＧ，ＰＸＢ，ＰＸＷの第１方向Ｘにおける幅をそれぞれＷＲＸ、ＷＧＸ、ＷＢＸ、ＷＷＸと定義し、副画素ＰＸＲ，ＰＸＧ，ＰＸＢ，ＰＸＷの第２方向Ｙにおける幅をそれぞれＷＲＹ、ＷＧＹ、ＷＢＹ、ＷＷＹと定義する。表示領域ＤＡは、第１方向Ｘ及び第２方向Ｙに配列された複数の単位画素ＰＸによって構成されている。
【００２４】
（第１構成例）
図３は、第１構成例に係る単位画素ＰＸを模式的に示す図である。この単位画素ＰＸにおいて、副画素ＰＸＲ，ＰＸＧ，ＰＸＢ，ＰＸＷは、この順で第１方向Ｘに配列されている。
副画素ＰＸＧの第１方向Ｘにおける幅ＷＧＸは、副画素ＰＸＲの第１方向Ｘにおける幅ＷＲＸよりも小さい（ＷＧＸ＜ＷＲＸ）。副画素ＰＸＢの第１方向Ｘにおける幅ＷＢＸは、副画素ＰＸＲの第１方向Ｘにおける幅ＷＲＸよりも大きい（ＷＢＸ＞ＷＲＸ）。副画素ＰＸＷの第１方向Ｘにおける幅ＷＷＸは、副画素ＰＸＲの第１方向Ｘにおける幅ＷＲＸと等しい（ＷＷＸ＝ＷＲＸ）。
【００２５】
副画素ＰＸＲ，ＰＸＧ，ＰＸＢ，ＰＸＷの第２方向Ｙにおける幅ＷＲＹ，ＷＧＹ，ＷＢＹ，ＷＷＹは、いずれも等しい（ＷＲＹ＝ＷＧＹ＝ＷＢＹ＝ＷＷＹ）。
図４は、第１構成例に係る単位画素ＰＸが配列された表示領域ＤＡの一例を模式的に示す図である。この図においては、表示領域ＤＡの一部のみを示している。表示領域ＤＡにおいて、単位画素ＰＸは、副画素ＰＸＲ，ＰＸＧ，ＰＸＢ，ＰＸＷがいずれも第２方向Ｙに連続するように、第１方向Ｘ及び第２方向Ｙに沿って配列されている。
【００２６】
（第２構成例）
図５は、第２構成例に係る単位画素ＰＸを模式的に示す図である。この単位画素ＰＸにおいては同サイズの２つの副画素ＰＸＲが第２方向Ｙに並べて配置されている。第１方向Ｘにおいて、２つの副画素ＰＸＲの隣には、同サイズの２つの副画素ＰＸＧが第２方向Ｙに並べて配置されている。第１方向Ｘにおいて、２つの副画素ＰＸＧの隣には、それぞれ副画素ＰＸＢ，ＰＸＷが第２方向Ｙに並べて配置されている。
副画素ＰＸＲ，ＰＸＧ，ＰＸＢ，ＰＸＷの第１方向Ｘにおける幅ＷＲＸ，ＷＧＸ，ＷＢＸ，ＷＷＸは、いずれも等しい（ＷＲＸ＝ＷＧＸ＝ＷＢＸ＝ＷＷＸ）。また、副画素ＰＸＲ，ＰＸＧ，ＰＸＢ，ＰＸＷの第２方向Ｙにおける幅ＷＲＹ，ＷＧＹ，ＷＢＹ，ＷＷＹは、いずれも等しい（ＷＲＹ＝ＷＧＹ＝ＷＢＹ＝ＷＷＹ）。
【００２７】
図６は、第２構成例に係る単位画素ＰＸが配列された表示領域ＤＡの一例を模式的に示す図である。この図においては、表示領域ＤＡの一部のみを示している。表示領域ＤＡにおいて、単位画素ＰＸは、副画素ＰＸＲ，ＰＸＧがいずれも第２方向Ｙに連続するように、第１方向Ｘ及び第２方向Ｙに沿って配列されている。第１方向Ｘに隣り合う２つの単位画素ＰＸは、副画素ＰＸＢ，ＰＸＷの位置が入れ替わっている。
【００２８】
（第３構成例）
図７は、第３構成例に係る単位画素ＰＸを模式的に示す図である。この単位画素ＰＸにおける副画素ＰＸＲ，ＰＸＧ，ＰＸＢ，ＰＸＷの配置は、第２構成例と同じである。
副画素ＰＸＧの第１方向Ｘにおける幅ＷＧＸは、副画素ＰＸＲの第１方向Ｘにおける幅ＷＲＸと等しい（ＷＧＸ＝ＷＲＸ）。副画素ＰＸＢの第１方向Ｘにおける幅ＷＢＸと副画素ＰＸＷの第１方向Ｘにおける幅ＷＷＸは等しく、かつ副画素ＰＸＲの第１方向Ｘにおける幅ＷＲＸよりも大きい（ＷＢＸ＝ＷＷＸ＞ＷＲＸ）。
【００２９】
副画素ＰＸＲ，ＰＸＧ，ＰＸＢ，ＰＸＷの第２方向Ｙにおける幅ＷＲＹ，ＷＧＹ，ＷＢＹ，ＷＷＹは、いずれも等しい（ＷＲＹ＝ＷＧＹ＝ＷＢＹ＝ＷＷＹ）。
図８は、第３構成例に係る単位画素ＰＸが配列された表示領域ＤＡの一例を模式的に示す図である。この図においては、表示領域ＤＡの一部のみを示している。表示領域ＤＡにおいて、単位画素ＰＸは、副画素ＰＸＲ，ＰＸＧがいずれも第２方向Ｙに連続するように、第１方向Ｘ及び第２方向Ｙに沿って配列されている。第２構成例と同じく、第１方向Ｘに隣り合う２つの単位画素ＰＸは、副画素ＰＸＢ，ＰＸＷの位置が入れ替わっている。
【００３０】
（第４構成例）
図９は、第４構成例に係る単位画素ＰＸを模式的に示す図である。この単位画素ＰＸにおいては同サイズの２つの副画素ＰＸＲと、同サイズの２つの副画素ＰＸＧとが、第２方向Ｙに沿って交互に配置されている。第１方向Ｘにおいて、これら２つずつの副画素ＰＸＲ，ＰＸＧの隣りには、副画素ＰＸＢ，ＰＸＷが第２方向Ｙに並べて配置されている。
副画素ＰＸＲ，ＰＸＧ，ＰＸＢ，ＰＸＷの第１方向Ｘにおける幅ＷＲＸ，ＷＧＸ，ＷＢＸ，ＷＷＸは、いずれも等しい（ＷＲＸ＝ＷＧＸ＝ＷＢＸ＝ＷＷＸ）。
副画素ＰＸＲ，ＰＸＧの第２方向Ｙにおける幅ＷＲＹ，ＷＧＹは等しい（ＷＲＹ＝ＷＧＹ）。副画素ＰＸＢ，ＰＸＷの第２方向Ｙにおける幅ＷＢＹ，ＷＷＹは等しく、例えば幅ＷＲＹの約２倍である（ＷＢＹ＝ＷＷＹ＝２ＷＲＹ）。
【００３１】
図１０は、第４構成例に係る単位画素ＰＸが配列された表示領域ＤＡの一例を模式的に示す図である。この図においては、表示領域ＤＡの一部のみを示している。表示領域ＤＡにおいて、単位画素ＰＸは、第１方向Ｘ及び第２方向Ｙに沿って配列されている。第２，第３構成例と同じく、第１方向Ｘに隣り合う２つの単位画素ＰＸは、副画素ＰＸＢ，ＰＸＷの上下が入れ替わっている。
【００３２】
続いて、一般的な液晶表示装置において、プリズムシートと表示領域とに起因したモアレの一例につき、図１１を用いて説明する。  
等ピッチでプリズムが配列されたプリズムシートを光源からの光が通過すると、例えば図１１（ａ）に示すように、高輝度部分と低輝度部分とが交互に繰り返すストライプ状のパターンＳ１が生じる（低輝度部分は図中の実線に相当し、高輝度部分は図中の実線間の領域に相当する）。このパターンＳ１のピッチは、プリズムのピッチと一致する。また、第１方向に直線状に並ぶある色の副画素群がこの第１方向と垂直に交わる第２方向に間隔を空けて等ピッチで配列された表示領域を光源からの光が通過すると、図１１（ｂ）に示すように、高輝度部分と低輝度部分とが交互に繰り返すストライプ状のパターンＳ２が生じる。このパターンＳ２のピッチは、第２方向における副画素のピッチ（２つの副画素間の第２方向における距離）と一致する。
【００３３】
表示領域を外部から視認したとき、これらのパターンＳ１，Ｓ２が図１１（ｃ）のように重なったパターンＳ３が生じる。このパターンＳ３においては、パターンＳ１，Ｓ２の低輝度部分が重なる領域において輝度が高くなり、パターンＳ１，Ｓ２の低輝度部分が重ならない領域において輝度が低くなる。一般に、パターンＳ１，Ｓ２における高輝度部分と低輝度部分との繰り返し周期は極めて短いために、パターンＳ１，Ｓ２は人の目で視認されにくい。一方、パターンＳ３の繰り返し周期はパターンＳ１，Ｓ２に比べて長いために、パターンＳ３における輝度差の周期的な繰り返しはモアレとして視認される。
【００３４】
なお、図１１においてはパターンＳ１，Ｓ２における高輝度部分と低輝度部分とがいずれも平行な場合に生じるモアレについて説明した。しかしながら、パターンＳ１，Ｓ２における高輝度部分と低輝度部分とが角度を以って交わる場合であっても、パターンＳ３に高輝度部分と低輝度部分とが長い周期で現れ、モアレとして視認され得る。
【００３５】
図１２は、上記のようなモアレを抑制する方法の一例を説明するための図である。ここでは第１プリズムシート１４に起因したモアレに着目しており、プリズム１４ａが配列された第１プリズムシート１４と、単位画素ＰＸが配列された表示領域ＤＡとを模式的に示している。プリズム１４ａは、第１延出方向Ｄ１（第３方向）に沿って直線状に延びるとともに、第１延出方向Ｄ１と垂直に交わる第２延出方向Ｄ２に沿って互いに平行に第１プリズムピッチＰ1で配列されている。
【００３６】
プリズム１４ａの第１延出方向Ｄ１は、第２方向Ｙに対して鋭角である傾斜角度θ（０°＜θ＜９０°）で傾いている。なお、第１方向Ｘが第２方向Ｙと垂直に交わるため、延出方向Ｄ１は第１方向Ｘに対しても鋭角（９０°−θ）で傾いている。
なお、第２プリズムシート１５のプリズム１５ａは、第２延出方向Ｄ２に沿って延びている。すなわち、第２延出方向Ｄ２は第２方向Ｙに対して鋭角（９０°−θ）で傾いている。さらに、第１方向Ｘが第２方向Ｙと垂直に交わるため、第２延出方向Ｄ２は第１方向Ｘに対しても鋭角（θ）で傾いている。
【００３７】
プリズムシートのプリズムと各種類の副画素とに起因したモアレは、各種類の副画素ごとに固有の理想角度φでプリズムの延出方向を表示領域ＤＡに対して傾けることにより抑制される。この理想角度φは、例えば、副画素の輝度が表示領域ＤＡ全体において最も均一化される角度である。
【００３８】
このような理想角度φは、単位画素に含まれる各種類の副画素の形状及び数が同一であればこれら副画素で略同一の角度となるため、この角度を傾斜角度θとすることでモアレを抑制できる。
これに対し、第１〜第４構成例のように副画素ＰＸＲ，ＰＸＧ，ＰＸＢ，ＰＸＷの少なくとも一部の形状或いは単位画素ＰＸに含まれる数が異なる場合、理想角度φはこれらの副画素で同一とはならない。この場合において傾斜角度θを決定する手順の一例につき、図１３を用いて説明する。
【００３９】
［手順１］
先ず、各種類の副画素ＰＸＲ，ＰＸＧ，ＰＸＢ，ＰＸＷのうち、輝度が最も高い第１副画素と、輝度が２番目に高い第２副画素とを選定する。そして、第１副画素に固有の理想角度φである第１理想角度φ1と、第２副画素に固有の理想角度φである第２理想角度φ2とを決定する。図１３の例においては、第１理想角度φ1を第２理想角度φ2よりも小さく示しているが、第１理想角度φ1が第２理想角度φ2よりも大きい場合もある。
【００４０】
各理想角度φ1，φ2は、例えば、コンピュータを用いたシミュレーションにより決定することができる。このシミュレーションにおいては、例えば、プリズム１４ａを通過した光に生じるパターンの第１モデルと、第１副画素及び第２副画素のうち演算対象となる一方のみが配置された表示領域ＤＡを通過した光に生じるパターンの第２モデルとを仮想平面内に重ねて配置する。そして、これらの第１モデルと第２モデルとが成す角度を変化させてモアレの程度（モアレの有無或いは強弱など）を評価する。この評価は、第１モデルと第２モデルとを画面に表示して目視により行ってもよいし、重ねられた第１モデル及び第２モデルに現れる輝度分布などをコンピュータにより演算することで行ってもよい。このような評価において、モアレが最も抑制される結果が得られた角度（輝度分布が最も均一化される角度）が、演算対象の副画素についての理想角度φとなる。このようなシミュレーション及び評価を第１副画素及び第２副画素の双方について実施することにより、各理想角度φ1，φ2を決定することができる。
【００４１】
［手順２］
続いて、手順１で決定した各理想角度φ1，φ2に基づいて傾斜角度θを決定する。傾斜角度θは、例えば各理想角度φ1，φ2の間で定めることができる（φ1＜θ＜φ2或いはφ2＜θ＜φ1）。
【００４２】
第１理想角度φ1の近傍において、第１副画素とプリズム１４ａとの干渉によるモアレは、傾斜角度θが第１理想角度φ1に近づくほど抑制される。同様に、第２理想角度φ2の近傍において、第２副画素とプリズム１４ａとの干渉によるモアレは、傾斜角度θが第２理想角度φ1に近づくほど抑制される。したがって、各理想角度φ1，φ2の間で傾斜角度θを定めれば、この範囲の外で傾斜角度θを定める場合に比べて、プリズム１４ａと表示領域ＤＡとの干渉により生じるモアレが全体的に抑制される。
【００４３】
また、副画素の輝度が高いほどプリズム１４ａとの干渉によるモアレの視認性が高くなる。そのため、輝度が高い第１副画素及び第２副画素についての理想角度φ1，φ2を用いて傾斜角度θを決定することにより、視認性の高いモアレの発生を効果的に抑制することができる。
【００４４】
一例として、傾斜角度θは、以下の式（１）に示すように各理想角度φ1，φ2の単純平均により求めることができる。  
θ=(φ1+φ2)／２…（１）
【００４５】
他の例として、傾斜角度θは、以下の式（２）に示すように各理想角度φ1，φ2の加重平均により求めることもできる。  
θ=(Ｂ1・φ1+Ｂ2・φ2)／(Ｂ1+Ｂ2)…（２）
ここで、Ｂ1は第１副画素の輝度であり、Ｂ2は第２副画素の輝度である。このように輝度に応じた加重平均を用いれば、モアレの視認性が高い副画素（輝度が高い副画素）の理想角度φ寄りに傾斜角度θを定め、当該副画素に起因したモアレを優先的に抑制できる。
【００４６】
加重平均は、以下の式（３）のように輝度Ｂ1，Ｂ2以外の係数Ｃ1，Ｃ2を用いたものであってもよい。係数Ｃ1，Ｃ2は、例えば第１副画素及び第２副画素の第１方向Ｘ或いは第２方向Ｙにおける幅や単位画素ＰＸに含まれる数など、種々の値に定めることができる。  
θ=(Ｃ1・φ1+Ｃ2・φ2)／(Ｃ1+Ｃ2)…（３）
【００４７】
また、加重平均は、以下の式（４）のように輝度Ｂ1，Ｂ2と係数Ｃ1，Ｃ2とを用いたものであってもよい。  
θ=(Ｂ1・Ｃ1・φ1+Ｂ2・Ｃ2・φ2)／(Ｂ1・Ｃ1+Ｂ2・Ｃ2)…（４）
【００４８】
ここで、傾斜角度θを決定する一実施例につき説明する。発明者は、副画素ＰＸＷの輝度が最も高く、副画素ＰＸＧの輝度が２番目に高い表示領域ＤＡについて、上記の式（２）を用いて傾斜角度θを決定し、この角度でプリズム１４ａの第１延出方向Ｄ１が第２方向Ｙから傾いた第１プリズムシート１４と表示領域ＤＡとに起因するモアレを評価した。
【００４９】
第１副画素である副画素ＰＸＷの輝度Ｂ1と第２副画素である副画素ＰＸＧの輝度Ｂ2との比は、Ｂ1：Ｂ2＝１.５：１である。上記の手順１において、副画素ＰＸＷの第１理想角度φ1及び副画素ＰＸＧの第２理想角度φ2をシミュレーションにより求めたところ、第１理想角度φ1は１５°となり、第２理想角度φ2は２８°となった。
【００５０】
この場合、上記の式（２）によれば、θ=(１.５・１５°+１・２８°)／(１.５+１)≒２０°となる。このように定めた傾斜角度θ（＝２０°）でプリズム１４ａの第１延出方向Ｄ１を第２方向Ｙから傾けたところ、モアレは殆ど視認することができなかった。なお、その他の種々の条件において、式（１）〜（４）をそれぞれ用いて傾斜角度θを決定し、モアレを評価したところ、いずれの場合においてもモアレが好適に抑制される結果が得られた。また。いずれの場合においても、第２延出方向Ｄ２が第１延出方向Ｄ１と垂直に交わるとの条件下においては、第２プリズムシート１５のプリズム１５ａと表示領域ＤＡとの干渉によるモアレについても好適に抑制された。
【００５１】
以上説明したように、本実施形態によれば、少なくとも一部の副画素の形状或いは数が異なる単位画素ＰＸが配列された表示領域ＤＡを有する液晶表示装置１において、表示領域ＤＡと第１プリズムシート１４及び第２プリズムシート１５との干渉によるモアレを抑制することができる。
【００５２】
なお、本実施形態においては、第１プリズムシート１４のプリズム１４ａの第１延出方向Ｄ１と第２方向Ｙとの関係に基づいて傾斜角度θを定義したが、第１延出方向Ｄ１と第１方向Ｘとの関係に基づいて傾斜角度θを定義してもよい。また、第２プリズムシート１５のプリズム１５ａの第２延出方向Ｄ２と第１方向Ｘ或いは第２方向Ｙとの関係に基づいて傾斜角度θを定義してもよい。
【００５３】
また、本実施形態においては、輝度が最も高い第１副画素の第１理想角度φ1と輝度が２番目に高い第２副画素の第２理想角度φ2とを用いて傾斜角度θを決定するとしたが、より多くの副画素の理想角度φを用いて傾斜角度θを決定してもよい。すなわち、単位画素ＰＸがｎ（ｎ≧２）種類の副画素によって構成されているとすると、傾斜角度θは、２種類以上かつｎ種類以下の副画素の理想角度φに基づいて決定することができる。
【００５４】
例えば、第１副画素及び第２副画素に加えて、単位画素ＰＸを構成する副画素のうち輝度が３番目に高い第３副画素の第３理想角度φ3をさらに用いて傾斜角度θを決定してもよい。この場合、上記の式（１）〜（４）に代えて以下の式（５）〜（８）を用いることができる。
【００５５】
θ=(φ1+φ2+φ3)／３…（５）
θ=(Ｂ1・φ1+Ｂ2・φ2+Ｂ3・φ3)／(Ｂ1+Ｂ2+Ｂ3)…（６）
θ=(Ｃ1・φ1+Ｃ2・φ2+Ｃ3・φ3)／(Ｃ1+Ｃ2+Ｃ3)…（７）
θ=(Ｂ1・Ｃ1・φ1+Ｂ2・Ｃ2・φ2+Ｂ3・Ｃ3・φ3)／(Ｂ1・Ｃ1+Ｂ2・Ｃ2+Ｂ3・Ｃ3)…（８）
ここに、Ｂ3は第３副画素の輝度であり、Ｃ3は係数である。例えば、係数Ｃ1，Ｃ2，Ｃ3は、それぞれ第１副画素、第２副画素、及び第３副画素の第１方向Ｘ或いは第２方向Ｙにおける幅や単位画素ＰＸに含まれる数など、種々の値に定めることができる。
【００５６】
このように、３種類以上の副画素の理想角度φを考慮して傾斜角度θを決定した場合であっても、第１プリズムシート１４及び第２プリズムシート１５と表示領域ＤＡとに起因したモアレを抑制することができる。
【００５７】
（第２実施形態）
第２実施形態について説明する。  
本実施形態においては、表示領域ＤＡと第１プリズムシート１４及び第２プリズムシート１５との干渉によるモアレを低減ないしは防止する他の方法を開示する。特に言及しない構成及び作用等については、第１実施形態と同様である。
【００５８】
図１４は、プリズム１４ａが配列された第１プリズムシート１４と、単位画素ＰＸが配列された表示領域ＤＡとを模式的に示す図である。プリズム１４ａは、第１延出方向Ｄ１（第３方向）に沿って直線状に延びるとともに、互いに平行に第１プリズムピッチＰ1で配列されている。図１４の例において、第１延出方向Ｄ１は第２方向Ｙと一致している。すなわち、傾斜角度θは０°である。
【００５９】
第１プリズムシート１４のプリズム１４ａと単位画素ＰＸを構成する各種類の副画素との干渉によるモアレは、プリズム１４ａを副画素ごとに固有の理想ピッチＱで配列することにより抑制される。この理想ピッチＱは、例えば、副画素の輝度が表示領域ＤＡ全体において最も均一化されるピッチである。
【００６０】
このような理想ピッチＱは、単位画素ＰＸに含まれる各種類の副画素の形状及び単位画素ＰＸに含まれる数が同一であればこれら副画素で略同一のピッチとなるため、このピッチを第１プリズムピッチＰ1とすることでモアレを抑制できる。
なお、単位画素ＰＸに含まれる各種類の副画素の形状及び数が同一である場合の理想ピッチＱは、副画素の当該幅に自然数を乗じた値、或いは自然数で除した値となる。理想ピッチＱがこのような値であれば、各プリズム１４ａの陰影と各副画素との位置関係が画面全体で一様となり、輝度分布が均一化されるためである。
【００６１】
一方、第１〜第４構成例のように各種類の副画素ＰＸＲ，ＰＸＧ，ＰＸＢ，ＰＸＷの形状及び単位画素に含まれる数が少なくとも一部の副画素の間で異なる場合、理想ピッチＱはこれらの副画素で同一とはならない。この場合において第１プリズムピッチＰ1を決定する手順の一例につき、図１５を用いて説明する。
【００６２】
［手順１］
先ず、各種類の副画素ＰＸＲ，ＰＸＧ，ＰＸＢ，ＰＸＷのうち、輝度が最も高い第１副画素と、輝度が２番目に高い第２副画素とを選定する。そして、第１副画素についての理想ピッチＱである第１理想ピッチＱ1と、第２副画素についての理想ピッチＱである第２理想ピッチＱ2とを決定する。図１５の例においては、第１理想ピッチＱ1を第２理想ピッチＱ2よりも小さく示しているが、第１理想ピッチＱ1が第２理想ピッチＱ2よりも大きい場合もある。
【００６３】
各理想ピッチＱ1，Ｑ2は、例えば、コンピュータを用いたシミュレーションにより決定することができる。このシミュレーションにおいては、例えば、プリズム１４ａを通過した光に生じるパターンの第１モデルと、第１副画素及び第２副画素のうち演算対象となる一方のみが配置された表示領域ＤＡを通過した光に生じるパターンの第２モデルとを仮想平面内に重ねて配置する。そして、第１プリズムピッチＰ1を変化させてモアレの程度（モアレの有無或いは強弱など）を評価する。この評価は、第１モデルと第２モデルとを画面に表示して目視により行ってもよいし、重ねられた第１モデル及び第２モデルに現れる輝度分布などをコンピュータにより演算することで行ってもよい。このような評価において、モアレが最も抑制される結果が得られたプリズム１４ａのピッチ（輝度分布が最も均一化されるピッチ）が、演算対象の副画素についての理想ピッチＱとなる。このようなシミュレーション及び評価を第１副画素及び第２副画素の双方について実施することにより、各理想ピッチＱ1，Ｑ2を決定することができる。
【００６４】
［手順２］
続いて、手順１で決定した各理想ピッチＱ1，Ｑ2に基づいて第１プリズムピッチＰ1を決定する。第１プリズムピッチＰ1は、例えば各理想ピッチＱ1，Ｑ2の間で定めることができる（Ｑ1＜Ｐ1＜Ｑ2或いはＱ2＜Ｐ1＜Ｑ1）。
【００６５】
第１理想ピッチＱ1の近傍において、第１副画素とプリズム１４ａとの干渉によるモアレは、第１プリズムピッチＰ1が第１理想ピッチＱ1に近づくほど抑制される。同様に、第２理想ピッチＱ2の近傍において、第２副画素とプリズム１４ａとの干渉によるモアレは、第１プリズムピッチＰ1が第２理想ピッチＱ2に近づくほど抑制される。したがって、各理想ピッチＱ1，Ｑ2の間で第１プリズムピッチＰ1を定めれば、この範囲の外で第１プリズムピッチＰ1を定める場合に比べて、プリズム１４ａと表示領域ＤＡとの干渉により生じるモアレが全体的に抑制される。
【００６６】
また、副画素の輝度が高いほどプリズム１４ａとの干渉によるモアレの視認性が高くなる。そのため、輝度が高い第１副画素及び第２副画素についての理想ピッチＱ1，Ｑ2を用いて第１プリズムピッチＰ1を決定することにより、視認性の高いモアレの発生を効果的に抑制することができる。
【００６７】
一例として、第１プリズムピッチＰ1は、以下の式（９）に示すように各理想ピッチＱ1，Ｑ2の単純平均により求めることができる。  
Ｐ1=(Ｑ1+Ｑ2)／２…（９）
【００６８】
他の例として、第１プリズムピッチＰ1は、以下の式（１０）に示すように第１副画素の輝度Ｂ1と第２副画素の輝度Ｂ2とを用いた加重平均により求めることもできる。このように輝度に応じた加重平均を用いれば、モアレの視認性が高い副画素（輝度が高い副画素）の理想ピッチＱ寄りに第１プリズムピッチＰ1を定め、当該副画素に起因したモアレを優先的に抑制できる。  
Ｐ1=(Ｂ1・Ｑ1+Ｂ2・Ｑ2)／(Ｂ1+Ｂ2)…（１０）
【００６９】
加重平均は、以下の式（１１）のように輝度Ｂ1，Ｂ2以外の係数Ｃ1，Ｃ2を用いたものであってもよい。係数Ｃ1，Ｃ2は、例えば第１副画素及び第２副画素の第１方向Ｘ或いは第２方向Ｙにおける幅や単位画素ＰＸに含まれる数など、種々の値に定めることができる。  
Ｐ1=(Ｃ1・Ｑ1+Ｃ2・Ｑ2)／(Ｃ1+Ｃ2)…（１１）
【００７０】
また、加重平均は、以下の式（１２）のように輝度Ｂ1，Ｂ2と係数Ｃ1，Ｃ2とを用いたものであってもよい。  
Ｐ1=(Ｂ1・Ｃ1・Ｑ1+Ｂ2・Ｃ2・Ｑ2)／(Ｂ1・Ｃ1+Ｂ2・Ｃ2)…（１２）
【００７１】
ここで、第１プリズムピッチＰ1を決定する一実施例について説明する。発明者は、副画素ＰＸＷの輝度が最も高く、副画素ＰＸＧの輝度が２番目に高い表示領域ＤＡについて、上記の式（１０）を用いて第１プリズムピッチＰ1を決定し、このピッチでプリズム１４ａが配列された第１プリズムシート１４と表示領域ＤＡとの干渉によるモアレを評価した。
【００７２】
第１副画素である副画素ＰＸＷの輝度Ｂ1と第２副画素である副画素ＰＸＧの輝度Ｂ2との比は、Ｂ1：Ｂ2＝１.５：１である。上記の手順１において、副画素ＰＸＷの理想ピッチＱ1及び副画素ＰＸＧの理想ピッチＱ2をシミュレーションにより求めたところ、第１理想ピッチＱ1は３０μmとなり、第２理想ピッチＱ2は１５μmとなった。
【００７３】
この場合、上記の式（１０）によれば、Ｐ1=(１.５・３０+１・１５)／(１.５+１)＝２４mμmとなる。このように定めた第１プリズムピッチＰ1（＝２４μm）でプリズム１４ａが配列された第１プリズムシート１４を用いたところ、モアレは殆ど視認することができなかった。なお、その他の種々の条件において、式（９）〜（１２）をそれぞれ用いて第１プリズムピッチＰ1を決定し、モアレを評価したところ、いずれの場合においてもモアレが好適に抑制される結果が得られた。
【００７４】
なお、本実施形態においては、輝度が最も高い第１副画素の第１理想ピッチＱ1と輝度が２番目に高い第２副画素の第２理想ピッチＱ2とを用いて第１プリズムピッチＰ1を決定するとしたが、より多くの副画素の理想ピッチＱを用いて第１プリズムピッチＰ1を決定してもよい。すなわち、単位画素ＰＸがｎ（ｎ≧２）種類の副画素によって構成されているとすると、第１プリズムピッチＰ1は、２種類以上かつｎ種類以下の副画素の理想ピッチＱに基づいて決定することができる。
【００７５】
例えば、第１副画素及び第２副画素に加えて、単位画素ＰＸを構成する副画素のうち輝度が３番目に高い第３副画素の第３理想ピッチＱ3をさらに用いて第１プリズムピッチＰ1を決定してもよい。この場合、上記の式（９）〜（１２）に代えて以下の式（１３）〜（１６）を用いることができる。
【００７６】
Ｐ1=(Ｑ1+Ｑ2+Ｑ3)／３…（１３）
Ｐ1=(Ｂ1・Ｑ1+Ｂ2・Ｑ2+Ｂ3・Ｑ3)／(Ｂ1+Ｂ2+Ｂ3)…（１４）
Ｐ1=(Ｃ1・Ｑ1+Ｃ2・Ｑ2+Ｃ3・Ｑ3)／(Ｃ1+Ｃ2+Ｃ3)…（１５）
Ｐ1=(Ｂ1・Ｃ1・Ｑ1+Ｂ2・Ｃ2・Ｑ2+Ｂ3・Ｃ3・Ｑ3)／(Ｂ1・Ｃ1+Ｂ2・Ｃ2+Ｂ3・Ｃ3)…（１６）
ここに、Ｂ3は第３副画素の輝度であり、Ｃ3は係数である。例えば、係数Ｃ1，Ｃ2，Ｃ3は、それぞれ第１副画素、第２副画素、及び第３副画素の第１方向Ｘ或いは第２方向Ｙにおける幅や単位画素ＰＸに含まれる数など、種々の値に定めることができる。
【００７７】
なお、第２プリズムシート１５のプリズム１５ａのピッチについても、同様の方法により定めることができる。図１６は、プリズム１５ａが配列された第２プリズムシート１５と、単位画素ＰＸが配列された表示領域ＤＡとを模式的に示す図である。プリズム１５ａは、第２延出方向Ｄ２に沿って直線状に延びるとともに、互いに平行に第２プリズムピッチＰ2で配列されている。図１４に示したようにプリズム１４ａの第１延出方向Ｄ１が第２方向Ｙと一致し、かつ第１延出方向Ｄ１と第２延出方向Ｄ２とが垂直に交わる場合、第２延出方向Ｄ２は第１方向Ｘと一致する。
【００７８】
プリズム１５ａと単位画素ＰＸを構成する各種類の副画素との干渉によるモアレは、プリズム１４ａの場合と同じく、プリズム１５ａを副画素ごとに固有の理想ピッチＱで配列することにより抑制される。第２プリズムピッチＰ2は、各種類の副画素の理想ピッチＱを用いて、第１プリズムピッチＰ1と同様の手順１，２により定めることができる。
【００７９】
以上説明したように、本実施形態によれば、少なくとも一部の副画素の形状或いは数が異なる単位画素ＰＸが配列された表示領域ＤＡを有する液晶表示装置１において、表示領域ＤＡと第１プリズムシート１４及び第２プリズムシート１５とに起因するモアレを抑制することができる。
【００８０】
なお、第１及び第２実施形態において開示した構成は、種々の態様に変形して実施することができる。また、第１及び第２実施形態において述べた態様によりもたらされる他の作用効果について本明細書の記載から明らかなもの、又は当業者において適宜想到し得るものついては、当然に本発明によりもたらされるものと解される。
【符号の説明】
【００８１】
１…液晶表示装置、１４，１５…第１，第２プリズムシート、１４ａ，１５ａ…プリズム、ＢＬ…バックライト、ＬＰＮ…液晶表示パネル、ＤＡ…表示領域、ＰＸ…単位画素、ＰＸＲ，ＰＸＧ，ＰＸＢ，ＰＸＷ…副画素、Ｘ…第１方向、Ｙ…第２方向、Ｄ１，Ｄ２…第１，第２延出方向（第３方向）、Ｐ1，Ｐ2…第１，第２プリズムピッチ、θ…傾斜角度、φ…理想角度、Ｑ…理想ピッチ
【図１】
2015227911.tif 000003
【図２】
2015227911.tif 000004
【図３】
2015227911.tif 000005
【図４】
2015227911.tif 000006
【図５】
2015227911.tif 000007
【図６】
2015227911.tif 000008
【図７】
2015227911.tif 000009
【図８】
2015227911.tif 000010
【図９】
2015227911.tif 000011
【図１０】
2015227911.tif 000012
【図１１】
2015227911.tif 000013
【図１２】
2015227911.tif 000014
【図１３】
2015227911.tif 000015
【図１４】
2015227911.tif 000016
【図１５】
2015227911.tif 000017
【図１６】
2015227911.tif 000018